(57)【要約】【課題】  シュレッダー装置の稼動効率を向上しトータルコスト低減を実現する【解決手段】  廃棄用紙の供給装置を設置し、その収納箱を脱着できるようにし現場に多数分散配置をする。収納箱を回収してまとめて用紙の粉砕処理を行う。【選択図】  図１
2005046827.tif 000002
【特許請求の範囲】
【請求項１】
機密情報漏洩防止の為に廃棄書類を細かく粉砕しその内容を読めなくするシュレッダー装置において、廃棄用紙供給装置を設けその一部を脱着可能な廃棄用紙の収納箱とし、シュレッダー装置とは別の場所に設置できるようにし、廃棄用紙収納箱に廃棄用紙が貯まった時廃棄用紙供給装置にそれを装着しシュレッダー装置に用紙を供給することでまとめて用紙の粉砕切断処理を行うようにしたことを特徴とするシュレッダー装置用の廃棄用紙供給装置。
【請求項２】
廃棄用紙の収納箱は機構部を持たない単純な箱であり、用紙を搬送する為のローラー等の駆動源は装置本体にあり、収納箱が装置本体の所定の場所に設置された時、収納箱の穴からローラー等の用紙搬送部分が突出し用紙と接触することで用紙が搬送されることを特徴とするシュレッダー装置の廃棄用紙供給装置。
【請求項３】
廃棄用紙供給装置は、例えば搬送ローラーと用紙分離ローラーとの隙間または搬送ローラーと用紙分離摩擦版との隙間等を調整できるようにし、シュレッダー装置の能力に合わせ一度に重ねて供給する用紙の枚数を調整できるようにしたことを特徴とする請求項１記載の廃棄用紙供給装置。
【請求項４】
廃棄用紙供給装置の用紙排出出口付近に用紙弛みセンサーを設け、供給速度がシュレッダー装置の処理速度より上回った時の用紙弛みを検出し用紙供給速度を落とすようにし、シュレッダー装置の処理速度に合わせ用紙供給速度を自動調整することを特徴とする請求項１記載のシュレッダー装置の廃棄用紙供給装置。
【発明の詳細な説明】
【発明の詳細な説明】
【技術分野】
【０００１】  本発明は機密保持の目的で廃棄する書類を細かく粉砕しその記載内容を読めなくした状態で廃棄するためのシュレッダー装置において、用紙をシュレッダーの能力に合わせ自動供給し高速処理をする為の廃棄用紙供給装置に関するものである。
【背景技術】
【０００２】  従来のシュレッダー装置は用紙を刃物で切断し細かく切り刻む方式であったが、本発明は対向し高速回転する櫛歯状の刃物で用紙を引きちぎるように粉砕するシュレッダー装置の用紙供給に関するものである。対象とするシュレッダー装置は粉砕した時紙の繊維が長く保たれ紙の再生が可能であることや、回転する刃物の強度を向上できる為高速回転／高速処理が可能でまたホチキスやクリップなどの異物が混入しても刃物は破損しないという大きな特徴をもっている。しかし価格が高く事務所に複数台配置するには費用負担が大き過ぎるという欠点を持っていた。
【発明が解決しようとする課題】
【０００３】  本発明は廃棄用紙の内容漏洩防止を保ち、高速処理可能なシュレッダー装置の稼動効率及び一枚当たりの処理費用を飛躍的に向上させトータルコストの低減を実現するものである。
【課題を解決するための手段】
【０００４】  本発明は所定の場所に複数の廃棄用紙格納箱を配置し廃棄用紙を回収し、それらを一台のシュレッダー装置で集中的に処理することで用紙の粉砕処理効率向上とコスト低減を実現させるものである。
【０００５】  本発明の廃棄用紙格納供給装置は、収納される廃棄用紙の秘密漏洩防止の為にその収納箱には大きな開口部を設けず、用紙搬送（排出）は収納箱が所定の位置に設置された時のみ行われるようにする。
【発明を実施するための最良の形態】
【０００６】  本発明の請求項１及び請求項２に対応した実施の形態について図１を参照し説明する。【０００７】  廃棄用紙供給装置は用紙搬送機構部を内蔵する本体１と複数分散配置され廃棄用紙を収納し本体１に取り付けて使用する用紙収納箱２とで構成され、用紙収納箱２は本体１から脱着可能である。用紙収納箱２には用紙を収納する為の開口部５が設けてあり、投入された用紙２４は用紙収納箱２の底に順次積み上げられるようになっている。【０００８】  用紙収納箱２が本体１に装着されると排出ローラー３が収納箱１の開口部１７から入り込み用紙と直接接触するようになる。本体１の動力により排出ローラー３が回転すると収納された用紙２４は底のほうから順次用紙収納箱２内に設けられた用紙分離板４に送られ用紙は所定の枚数に分離制限され適量枚数だけ用紙収納箱２の外部に排出される。排出された用紙は用紙ガイド６を通じてシュレッダー本体の用紙挿入口８に導かれる。用紙はシュレッダー本体１０の高速回転する粉砕刃７で粉砕処理され、粉砕された用紙片９は廃棄箱１１に貯蔵される。【０００９】  請求項３に対応する実施の形態について図２図３を参照して説明する。【００１０】  用紙収納箱１９の内部には廃棄用紙を排出するための機構部・動力部が内蔵されている。モーター２１が回転するとベルト車１３及び回転しベルト１２が回転し廃棄用紙を搬出する。用紙分離ローラー１４は用紙の搬送方向と逆に回転し接触する用紙を食い止める働きをするもので、ベルト１２との隙間を調整することで隙間の大小により出てくる用紙の枚数を調整できるようになっている。【００１１】  ローラー１８は用紙送り補助ローラーでバネ１７により適度な圧力でベルト１２に押し付けられていて出て来る用紙の搬送力を調整すると共に排出方向を下向きに変える働きももっている。【００１２】請求項４項に対応する実施例を図２図３を参照し説明する。【００１３】  廃棄用紙供給装置の排出口近くには用紙撓みセンサー２０が取り付けてあり、供給する用紙に撓みが発生するとそれを検出し用紙排出速度を遅くしシュレッダー本体の用紙処理速度と同期させるようになっている。
【実施例】
【００１４】  図１に本発明による実施例を示す。【００１５】  本体１はシュレッダー本体１０に固定設置されるものであり、用紙排出の為の制御部及び排出ローラー３を含む機構部を内蔵している。用紙収納箱２は本体１から脱着可能で通常は廃棄用紙収集現場に配置され用紙を収納する。用紙収納箱２には用紙収納のための開口部５が設けられており、用紙２４は開口部５から内部に投入され用紙収納箱の底に積み上げられる。【００１６】  用紙収納箱２にある程度用紙が貯まると本体１まで運ばれ所定の位置に設置される。用紙収納箱２の底部には排出ローラー３が入り込むための複数の開口部１７が設けられており、本体に設置された時排出ローラー３が用紙収納箱２の内部に入り込み用紙２４と接するようになっている。【００１７】  用紙収納箱２が本体１に設置され作動ボタン等により作動を開始すると、内部の駆動力により排出ローラー３が回転し用紙を排出口の方向へ送り出す。用紙分離板４は例えば高摩擦のゴム材で上下に調整可能であり、その排出口の隙間を調整することで一度に出てくる用紙枚数を調整できるようになっている。【００１８】  排出ローラー３により送られてくる用紙は用紙ガイド６を通じてシュレッダー装置の用紙挿入口８まで運ばれる。シュレッダー装置は自動的に作動し用紙を高速回転する粉砕刃７に送り細かい用紙片９に粉砕し廃棄箱１１に貯蔵する。【００１９】  用紙収納箱２はヒンジ２５で固定される蓋があり通常は鍵等によって閉じられていて必要に応じて開封できるようになっている。【００２０】  別の実施例を図２及び図３を参照し説明する。【００２１】  用紙収納箱１９の内部には用紙搬送の為の制御部及び機構部が内蔵されている。用紙収納箱１９の底部はベルト車１３及びベルト１２で構成されるベルト用紙搬送装置となっておりモーター２１の動力により回転作動し収納された用紙を底のほうから搬送できるようになっている。【００２２】  歯車１５および２２は動力を用紙分離ローラー１４及びローラーｌ８に動力を伝達するものであり、各要素はクランク１６によって連結されており各支点を中心にある程度回転できるようになっていて、用紙分離ローラー１４とベルト１２との隙間も調整可能である。【００２３】  ベルト車１３の回転は歯車１５及び２２を通じて用紙分離ローラー１４に反転力として、またローラー１８には順転力として伝達される。用紙分離ローラー１４への動力伝達は例えばトルクリミッターを介して行われ、用紙分離の際の過大なトルク負荷が動力側に直接伝わらないようにしてある。【００２４】  ベルト１２により搬送されてくる複数の用紙は、その一部が用紙分離ローラー１４により引き止められるため一度に出てくる用紙枚数が調整され、ローラー１８により角度を下向きに変化させられ排出される。バネ１７はローラー１８をベルト１２側に適度な圧力で押し付ける役割を持っていて、用紙分離ローラー１４がどの位置に調整されても常にその役割を果たすようになっている。【００２５】  用紙撓み検出のために設けられるセンサー２０は例えば一般的な反射型光電センサーであり、シュレッダー装置側の処理速度より本体の用紙供給速度が大きい時用紙が撓みセンサー側に近づくことで作動する。センサー２０が作動すると制御部はモーター１４の回転数を低下させ用紙供給速度を調整する。
【発明の効果】
【００２６】  本発明によれば、複数分散で設置される用紙収納箱の用紙を１台の高速処理可能なシュレッダー１台で粉砕処理する為、高価なシュレッダーの稼動効率を飛躍的に向上させトータル的コスト低減となる。特に紙の繊維を長く保持し再生に適したシュレッダー装置は処理速度が速いが高価なために設置台数は大きく制限されるが、本発明はそれを有効稼動させる上でとても有効である。
【００２７】  用紙収納箱はコストも安く通常のゴミ箱同様現場に多数設置できるために、これまで無造作にゴミ箱に捨てられた書類の機密保持管理が徹底できる為、企業機密情報漏洩対策として有効な手段となる。
【図面の簡単な説明】
【図１】本発明による実施例の図である。
【図２】本発明による実施例の図である。
【図３】本発明による実施例の図（図２の左側面図）である。
【符号の説明】
１、                    本体
２、                    用紙収納箱
３、                    排出ローラー
４、                    用紙分離板
５、                    用紙挿入口
６、                    用紙ガイド
７、                    粉砕刃
８、                    用紙挿入口
９、                    用紙片
１０、                  シュレッダー装置本体
１１、                  廃棄箱
１２、                  ベルト
１３、                  ベルト車
１４、                  用紙分離ローラー
１５、２２、            歯車
１６、                  クランク
１７、                  バネ
１８、                  ローラー
１９、                  用紙収納箱
２０、                  センサー
２１、                  モーター
２３、                  開口部
２４、                  用紙
２５、                  ヒンジ
【図１】
2005046827.tif 000003
【図２】
2005046827.tif 000004
【図３】
2005046827.tif 000005